【手続補正書】
【提出日】令和2年10月26日(2020.10.26)
【手続補正１】
【補正対象書類名】特許請求の範囲
【補正対象項目名】全文
【補正方法】変更
【補正の内容】
【特許請求の範囲】
【請求項１】
分析物濃度を測定するためのセンサシステムであって、前記センサシステムが、
ホストの皮膚に向かって面するように構成された遠位側部を有する基部と、
前記基部に結合され、前記基部を前記皮膚に結合させるように構成された第１の接着剤と、
前記基部に結合され、分析物測定データを伝送するように構成された伝送機と、
前記基部に結合された経皮分析物測定センサと、
前記センサの非軸方向力に抵抗するように構成された折り畳み可能な支持部材であって、前記折り畳み可能な支持部材が、チャネルを備え、前記センサの一部分が、前記チャネルを通過し、前記チャネルが、前記センサが近位位置から遠位位置まで移動するときの前記センサの座屈力に抵抗するように構成される、折り畳み可能な支持部材と、
を備える、センサシステム。
【請求項２】
前記折り畳み可能な支持部材が、発泡体である、請求項１に記載のシステム。
【請求項３】
前記センサの前記一部分が、中心軸を備え、前記チャネルが、前記中心軸に対する前記センサの前記一部分の水平変位に抵抗するように構成され、前記発泡体が、前記システムが前記センサを近位位置から遠位位置まで移動させることに応じて圧縮するように構成される、請求項２に記載のシステム。
【請求項４】
前記基部が、遠位部分および近位部分を備え、前記システムが、前記システムが前記センサを近位位置から遠位位置まで移動させることに応じて圧縮するように構成された壁を有するチャネルを備え、前記チャネルが、前記センサの一部分が前記チャネル内に位置付けられるように、前記基部の前記遠位部分と前記近位部分との間に少なくとも部分的に位置付けられ、前記チャネルの前記壁が、前記センサの前記一部分の水平変位に抵抗するように構成される、請求項１に記載のシステム。
【請求項５】
前記壁が、前記近位部分が前記基部の前記遠位部分に向かって遠位に移動することに応じて圧縮するように構成された発泡体を備える、請求項４に記載のシステム。
【請求項６】
前記壁が、第１の材料を有する近位セクションと、第２の材料を有する中間セクションと、第３の材料を有する遠位セクションと、を備える、請求項５に記載のシステム。
【請求項７】
前記中間セクションが前記水平変位に抵抗するように構成されるように、前記第２の材料が、前記第１および第３の材料よりも剛性が高い、請求項６に記載のシステム。
【請求項８】
前記中間セクションが前記水平変位に抵抗するように構成されるように、前記第２の材料が、前記第１および第３の材料よりも硬い、請求項７に記載のシステム。
【請求項９】
前記第２の材料が、前記第１および第３の材料よりも圧縮性が低い、請求項７または８のいずれかに記載のシステム。
【請求項１０】
前記システムが、前記センサを前記近位位置から前記遠位位置まで移動させることに応じて、前記基部の前記近位部分を前記基部の前記遠位部分に固定するように構成されたインターロックをさらに備える、請求項４〜８のいずれかに記載のシステム。
【請求項１１】
前記基部に結合されたベローズをさらに備え、前記センサの少なくとも一部分が、前記ベローズの内部領域内に位置付けられる、請求項１に記載のシステム。
【請求項１２】
前記センサの前記一部分が、中心軸を備え、前記ベローズが、前記中心軸に対して前記一部分の水平変位に抵抗するように構成され、前記ベローズが、前記システムが前記センサを近位位置から遠位位置まで移動させることに応じて圧縮するように構成される、請求項１１に記載のシステム。
【請求項１３】
前記基部に結合され、前記ベローズを圧縮状態で固定するように構成されたインターロックをさらに備える、請求項１２に記載のシステム。
【請求項１４】
前記基部の遠位部分および近位部分をさらに備え、前記ベローズが、前記遠位部分を前記近位部分に結合させ、取り外し可能な干渉部材が、前記システムが前記センサを前記近位位置から前記遠位位置まで移動させることを阻止するように構成されるように、前記システムが、前記遠位部分と前記近位部分との間に位置付けられた取り外し可能な干渉部材をさらに備える、請求項１１〜１３のいずれかに記載のシステム。
【請求項１５】
前記折り畳み可能な支持部材に結合されたタブをさらに備え、前記システムが、前記タブを作動させて、前記折り畳み可能な支持部材を折り畳み、および、前記センサの少なくとも一部分を前記基部に対して遠位に移動させるように構成される、請求項１〜４および１１〜１３のいずれかに記載のシステム。
【請求項１６】
分析物濃度を測定するためのセンサシステムであって、前記センサシステムが、
ホストの皮膚に向かって面するように構成された遠位側部を有する基部と、
前記基部に結合され、前記基部を前記皮膚に結合させるように構成された第１の接着剤と、
前記基部に結合され、分析物測定データを伝送するように構成された伝送機と、
前記基部に結合された経皮分析物測定センサと、
を備え、
前記センサが、前記基部を前記皮膚から取り外した後に、前記第１の接着剤または前記基部に対して屈曲されるように構成される、センサシステム。
【請求項１７】
前記基部が、第１の部分および第２の部分をさらに備え、前記基部の前記第２の部分が、ヒンジによって前記基部の前記第１の部分に結合され、該ヒンジが、前記基部の前記第１および第２の部分の間の旋回角度を減少させることで、前記センサの一部分を前記基部の前記第１および第２の部分の間に配置するように構成される、請求項１６に記載のシステム。
【請求項１８】
前記ヒンジが、第１のチャネルに回転可能に結合された第１のピンを備え、該第１のチャネルが、前記基部の前記第１の部分が前記基部の前記第２の部分に対して回転するときに前記第１のピンを保持するように構成される、請求項１７に記載のシステム。
【請求項１９】
前記ヒンジが、第２の孔に回転可能に結合された第２のピンを備え、該第２の孔が、前記基部の前記第１の部分が前記基部の前記第２の部分に対して回転するときに前記第２のピンを保持するように構成され、
前記第１のピンが、第１の方向に突出し、前記第２のピンが、第２の方向に突出し、前記第１の方向が、前記第２の方向に対して反対である、請求項１８に記載のシステム。
【請求項２０】
前記第１の接着剤が、第１のセクションおよび第２のセクションを備え、前記第１のセクションが前記基部の前記第１の部分を前記皮膚に接着するように構成されるように、前記第１のセクションが、前記基部の前記第１の部分に結合され、前記第２のセクションが、前記基部の前記第２の部分を前記皮膚に接着するように構成されるように、前記第２のセクションが、前記基部の前記第２の部分に結合される、請求項１７に記載のシステム。
【請求項２１】
前記ヒンジが、前記センサの前記一部分が前記基部の前記第１および第２の部分の間に少なくとも部分的に閉じ込められる間に、前記第１の接着剤の前記第１のセクションが前記第１の接着剤の前記第２のセクションに向かって面することを可能にするように構成される、請求項２０に記載のシステム。
【請求項２２】
前記システムが、前記ヒンジを回転させることに応じて、前記センサの前記一部分を屈曲するように構成され、前記センサシステムが前記皮膚から取り外された後に、前記センサの前記一部分が、前記基部の前記第１および第２の部分の間で屈曲されて、前記センサの遠位先端部が組織を貫通することを防ぐ、請求項１７〜２１のいずれかに記載のシステム。
【請求項２３】
前記システムが、回転ばね付勢に応じて前記旋回角度を減少するように構成されるように、前記基部の前記第１の部分が、前記基部の前記第２の部分に対して回転方向にばね荷重される、請求項１７〜２１のいずれかに記載のシステム。
【請求項２４】
ねじりばねが、前記旋回角度を減少して、前記基部の前記第１および第２の部分の間に前記センサの前記一部分を配置するように構成されるように、前記ヒンジに結合されたねじりばねをさらに備える、請求項１７〜２１のいずれかに記載のシステム。
【請求項２５】
接着部分が前記センサの少なくとも一部分を前記基部に向かって屈曲するように構成され、前記センサの遠位先端部が、前記基部と前記接着部分との間に位置付けられる、請求項１６に記載のシステム。
【請求項２６】
前記センサの少なくとも一部分を前記基部に対して折り畳むように構成された接着部分をさらに備える、請求項２５に記載のシステム。